(57)【特許請求の範囲】
【請求項１】
１枚のシート材から形成され、外箱に収容されて内容物を保護するための梱包部材に組み立て可能な梱包用シートであって、
長方形状の天面パネルと、
上記天面パネルの対向する一対の第１側縁から延出し、上記天面パネルの下面側に折り返され、先端部同士が接続されて上記天面パネルと共に平筒部を形成する一対の底面パネルと、
上記天面パネルの対向する一対の第２側縁から延出し、上方に折り曲げられる一対の上側支持パネルと、
上記底面パネルの一対の側縁から延出し、上記底面パネルが上記天面パネルの下方に折り返された状態で下方に折り曲げられる一対の下側支持パネルと
を備えており、
上記上側支持パネルの一対の側縁が基端側から先端側に亘って幅方向の内側に傾斜し、
上記下側支持パネルの上記上側支持パネルの側縁と対向する側縁が基端側から先端側に亘って幅方向の内側に傾斜しており、
上記上側支持パネル及び上記下側支持パネルの対向する側縁同士を接続し、上記平筒部の端部開口の少なくとも一部を塞ぐよう上記上側支持パネル及び上記下側支持パネルの外面側に折り重ねられる二対の接続片をさらに備え、
上記天面パネルが、上記一対の第１側縁と平行な一対の山折り線及び上記一対の第２側縁と平行な一対の山折り線からなる長方形状の第１山折り線部と、上記天面パネルの４つの角部、及び各角部に近接する上記第１山折り部の角部を接続する４つの山折り線からなる第２山折り線部とを有し、
上記一対の底面パネルが、組立状態における平面視において上記第１山折り線部と同形状の第３山折り線部と、上記第２山折り線部と同形状の第４山折り線部とを有する梱包用シート。
【請求項２】
上記底面パネルの同側縁側から延出する上記下側支持パネルの延出長さが等しい請求項１に記載の梱包用シート。
【請求項３】
上記一対の上側支持パネルの先端側から延出する一対の舌片をさらに備え、
上記舌片が上記上側支持パネルとの境界を画定する折り曲げ容易線を有する請求項１又は請求項２に記載の梱包用シート。
【請求項４】
上記接続片が上記平筒部の端部開口を塞ぐ長さの上記平筒部の端部開口の長さに対する比が、０．３以上０．５以下である請求項１、請求項２又は請求項３に記載の梱包用シート。
【請求項５】
上記天面パネルが、開口された窓を有する請求項１から請求項４のいずれか１項に記載の梱包用シート。
【発明の詳細な説明】
【技術分野】
【０００１】
本発明は、梱包用シートに関する。
【背景技術】
【０００２】
インターネットショッピングの普及により多種多様の商品が梱包され、搬送されている。この商品の梱包に当たっては、例えば幾通りかの大きさの外箱を準備しておき、その商品が梱包可能な最小の外箱を用いる方法がとられる。
【０００３】
商品の形状は千差万別であり、例えばその商品がＣＤやＤＶＤといった扁平なディスクである場合、最小の外箱を選択したとしても、特にその上下方向には空間が生じ易い。この状態で搬送すると、ディスクが箱内を自由に移動し、ディスク損傷の原因となるおそれがある。
【０００４】
このようなディスク損傷を抑止する梱包部材として、全体がコの字状に曲げられ、内容物を挟持する２つの挟持片と、この２つの挟持片を連結する１つの連結片とを有する支持体が提案されている（実開平１−１１０１９３号公報参照）。上記支持体は、各挟持片の対向する一対の側辺から延出し、連結片とは反対方向に曲げられ、外箱の内壁に当接する当接片を備える。また、２つの上記挟持片は外側に膨らんで湾曲しており、上記当接片を確実に箱内壁に当接させるように構成されている。
【先行技術文献】
【特許文献】
【０００５】
【特許文献１】実開平１−１１０１９３号公報
【発明の概要】
【発明が解決しようとする課題】
【０００６】
上記従来の支持体では、ディスクを２つの挟持片の縁部で挟持して固定することとなる。従って、挟持片の幅はディスクの幅と一致している必要がある。また、挟持片は当接片を箱内壁に当接させる働きも担うので、挟持片の幅は外箱の幅とも一致している必要がある。つまり、ディスクの幅と外箱の幅とは一致していることが前提であり、外箱の大きさに制約を伴う。このため、ディスクに専用の外箱を用意する必要があり、他の商品の梱包に用いる箱との共用が難しい。
【０００７】
また、２つの挟持片の連結片と対向する側縁は接続されていないため、この側縁側でのディスクの挟持はもっぱら箱の高さによって制御される。このため、天面側で開封する箱を用いると、箱の天面の封印状態よってはディスクの挟持が不十分となり、ディスクが箱内に固定されないおそれがある。従って、上記従来の支持体を用いる場合、横開き構造の箱を用いる必要がある。
【０００８】
このように従来の支持体では、支持体に適した大きさや構造の箱を用いる必要があり、他の商品の梱包と共通の箱を用いることが難しい。
【０００９】
本発明は、このような事情に鑑みてなされたものであり、ディスク状の内容物であっても内容物の損傷を抑止でき、かつ梱包する外箱の大きさや構造が制約され難い梱包部材に組み立て可能な梱包用シートの提供を課題とする。
【課題を解決するための手段】
【００１０】
本発明の梱包用シートは、１枚のシート材から形成され、外箱に収容されて内容物を保護するための梱包部材に組み立て可能な梱包用シートであって、長方形状の天面パネルと、上記天面パネルの対向する一対の第１側縁から延出し、上記天面パネルの下面側に折り返され、先端部同士が接続されて上記天面パネルと共に平筒部を形成する一対の底面パネルと、上記天面パネルの対向する一対の第２側縁から延出し、上方に折り曲げられる一対の上側支持パネルと、上記底面パネルの一対の側縁から延出し、上記底面パネルが上記天面パネルの下方に折り返された状態で下方に折り曲げられる一対の下側支持パネルとを備えており、上記上側支持パネルの一対の側縁が基端側から先端側に亘って幅方向の内側に傾斜し、上記下側支持パネルの上記上側支持パネルの側縁と対向する側縁が基端側から先端側に亘って幅方向の内側に傾斜しており、上記上側支持パネル及び上記下側支持パネルの対向する側縁同士を接続し、上記平筒部の端部開口の少なくとも一部を塞ぐよう上記上側支持パネル及び上記下側支持パネルの外面側に折り重ねられる二対の接続片をさらに備える。
【発明の効果】
【００１１】
本発明の梱包用シートは、ディスク状の内容物であっても内容物の損傷を抑止でき、かつ梱包する外箱の大きさや構造が制約され難い梱包部材に組み立て可能である。
【図面の簡単な説明】
【００１２】
【図１】図１は、本発明の一態様に係る梱包用シートを示す模式的平面図（展開図）である。
【図２】図２は、図１の梱包用シートを組み立ててなる梱包部材を外箱に収容した状態を示す模式的斜視図である。
【図３】図３は、図１の梱包用シートを組み立ててなる梱包部材を示す模式的斜視図である。
【図４】図４は、図３の梱包部材の第１山折り線部乃至第４山折り線部を山折りした状態を示す模式的断面図である。
【図５】図５は、図１の梱包用シートを梱包部材に組み立てる途中段階を示す模式的平面図である。
【発明を実施するための形態】
【００１３】
［本発明の実施形態の説明］
最初に本発明の実施態様を列記して説明する。
【００１４】
本発明の一実施形態に係る梱包用シートは、１枚のシート材から形成され、外箱に収容されて内容物を保護するための梱包部材に組み立て可能な梱包用シートであって、長方形状の天面パネルと、上記天面パネルの対向する一対の第１側縁から延出し、上記天面パネルの下面側に折り返され、先端部同士が接続されて上記天面パネルと共に平筒部を形成する一対の底面パネルと、上記天面パネルの対向する一対の第２側縁から延出し、上方に折り曲げられる一対の上側支持パネルと、上記底面パネルの一対の側縁から延出し、上記底面パネルが上記天面パネルの下方に折り返された状態で下方に折り曲げられる一対の下側支持パネルとを備えており、上記上側支持パネルの一対の側縁が基端側から先端側に亘って幅方向の内側に傾斜し、上記下側支持パネルの上記上側支持パネルの側縁と対向する側縁が基端側から先端側に亘って幅方向の内側に傾斜しており、上記上側支持パネル及び上記下側支持パネルの対向する側縁同士を接続し、上記平筒部の端部開口の少なくとも一部を塞ぐよう上記上側支持パネル及び上記下側支持パネルの外面側に折り重ねられる二対の接続片をさらに備える。
【００１５】
当該梱包用シートは、天面パネルと底面パネルとで内容物を挟み込んで保持する。また、当該梱包用シートでは、天面パネルと底面パネルとにより形成される平筒部の開口の一部を塞ぐように接続片が折り重ねられる。この接続片の折り重ねにより天面パネルと底面パネルとが離間し難くなるため、当該梱包用シートは、内容物の幅に対して天面パネル及び底面パネルの幅が広くとも、内容物を挟持することができる。このため、当該梱包用シートでは内容物の幅によらず天面パネル及び底面パネルの幅を決定できるので、当該梱包用シートを組み立ててなる梱包部材を入れる外箱の大きさが内容物の幅に規制されない。また、当該梱包用シートでは、上側支持パネル及び下側支持パネルは、専ら梱包部材の上下動の抑止に用いられ、上側支持パネル及び下側支持パネルの延出長さの和を、高い精度で外箱の側面パネルの上下方向長さと合わせることを要しない。このため、当該梱包用シートを組み立ててなる梱包部材は、天面側で開封する箱にも用いることができるので、外箱の構造が制限されない。従って、当該梱包用シートは、内容物がディスク状であっても内容物の損傷を抑止でき、かつ梱包する外箱の大きさや構造が制約され難い梱包部材に組み立て可能である。
【００１６】
上記底面パネルの同側縁側から延出する上記下側支持パネルの延出長さが等しいとよい。このように上記底面パネルの同側縁側から延出する下側支持パネルの延出長さを等しくすることで、天面パネルと底面パネルとにより形成される平筒部を水平に保ち易い。
【００１７】
上記一対の上側支持パネルの先端側から延出する一対の舌片をさらに備え、上記舌片が上記上側支持パネルとの境界を画定する折り曲げ容易線を有するとよい。このように一対の上側支持パネルの先端側から延出する一対の舌片をさらに備えることで、当該梱包用シートを組み立ててなり、外箱に収容された梱包部材を、この舌片を掴んで引き出すことで容易に取り出すことができる。また、上記舌片を折り曲げ容易線を有する構成とすることで、取り出し時に掴み易くすることができるとともに、上記舌片が折れ曲がった状態で封印された外箱の天面と接するように構成できるので、上記梱包部材の上下動をさらに確実に抑止できる。
【００１８】
上記天面パネルが、上記一対の第１側縁と平行な一対の山折り線及び上記一対の第２側縁と平行な一対の山折り線からなる長方形状の第１山折り線部と、上記天面パネルの４つの角部、及び各角部に近接する上記第１山折り部の角部を接続する４つの山折り線からなる第２山折り線部とを有し、上記一対の底面パネルが、組立状態における平面視において上記第１山折り線部と同形状の第３山折り線部と、上記第２山折り線部と同形状の第４山折り線部とを有するとよい。このように第１山折り線部乃至第４山折り線部を有することで、天面パネルと底面パネルとにより形成される平筒部の中央部分を容易に膨らませることができる。従って、厚みのある内容物であっても保護することができる。
【００１９】
上記接続片が上記平筒部の端部開口を塞ぐ長さの上記平筒部の端部開口の長さに対する比としては、０．３以上０．５以下が好ましい。このように上記比を上記範囲内とすることで、一対の接続片が重なり合うことなく、平筒部の端部開口を適度に塞ぐので、天面パネルと底面パネルとの離間をより確実に抑止できるとともに、当該梱包用シートを組み立ててなる梱包部材を外箱に収納する際、あるいは外箱から取り出した際に、内容物が平筒部の端部開口から脱落することを抑止できる。
【００２０】
上記天面パネルが、開口された窓を有するとよい。このように天面パネルに開口された窓を設けることで、当該梱包用シートを組み立ててなる梱包部材により保護されている内容物を容易に確認することができる。
【００２１】
ここで、「上」及び「下」とは、想定される一般的な使用態様、つまり梱包部材として組み立てた状態で天面パネルを上側として使用される状態における上下を意味するが、上記梱包部材の使用時の向きを制限することを企図するものではない。また、「山折り線」とは、組立状態を基準とする外側（梱包部材の外面側）に凸に折り曲げられる折り曲げ容易線を意味する。
【００２２】
［本発明の実施形態の詳細］
以下、本発明の一実施形態に係る梱包用シートについて、適宜図面を参照しつつ説明する。
【００２３】
図１に示すように、本発明の一実施形態に係る梱包用シート１は１枚のシート材から形成され、図２に示すように、外箱Ｐに収容されて内容物Ｘを保護するための梱包部材Ｓに組み立て可能である。
【００２４】
上記シート材としては、組み立てられる梱包部材Ｓの形状を維持できる程度の強度を有し、かつ適度な反発力を有している限り特に限定されず、例えば段ボールシート、厚紙等の紙製シート材、合成樹脂製シート材、紙製シートと合成樹脂シートとの積層シート材等が挙げられる。なかでも、加工性、衝撃吸収性、取扱性、リサイクル性、経済性等の点から紙製のシート材が好ましく、段ボールシートが特に好ましい。
【００２５】
上記段ボールシートとしては、特に限定されないが、波形状に形成された中芯原紙をライナーに貼り合わせたものが好適に用いられ、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂を更に貼り合わせた複々両面段ボールシート等が挙げられる。これらの段ボールシートのなかでも、加工性、経済性、耐久性等の点から両面段ボールシートが好ましい。
【００２６】
当該梱包用シート１は、長方形状の天面パネル１０と、天面パネル１０の対向する一対の第１側縁１１から延出する一対の底面パネル２０（第１底面パネル２０ａ及び第２底面パネル２０ｂ）とを備える。図３に示すように、一対の底面パネル２０は、天面パネル１０の下面側に折り返され、先端部同士が接続されて天面パネル１０と共に平筒部Ｓ１を形成する。
【００２７】
また、当該梱包用シート１は、天面パネル１０の対向する一対の第２側縁１２から延出し、上方に折り曲げられる一対の上側支持パネル３０（第１上側支持パネル３０ａ及び第２上側支持パネル３０ｂ）と、底面パネル２０の一対の側縁２１から延出し、底面パネル２０が天面パネル１０の下方に折り返された状態で下方に折り曲げられる一対の下側支持パネル４０（第１下側支持パネル４０ａ及び第２下側支持パネル４０ｂ）とを備える。なお、図１に示すように、連接する天面パネル１０及び底面パネル２０に対して、第１上側支持パネル３０ａ及び第１下側支持パネル４０ａが底面パネル２０の同側縁側にあり、第２上側支持パネル３０ｂ及び第２下側支持パネル４０ｂが底面パネル２０の同側縁側にある。また、底面パネル２０は２枚存在し、それぞれに一対の下側支持パネル４０を備えるため、第１下側支持パネル４０ａ及び第２下側支持パネル４０ｂは、それぞれ底面パネル２０の同側縁側に２枚ずつ存在する。
【００２８】
当該梱包用シート１は、平筒部Ｓ１の端部開口の少なくとも一部を塞ぐよう上側支持パネル３０及び下側支持パネル４０の外面側に折り重ねられる二対の接続片５０（第１上側支持パネル３０ａ側及び第２上側支持パネル３０ｂ側にそれぞれ設けられる第１接続片５０ａ及び第２接続片５０ｂ）をさらに備える。
【００２９】
また、当該梱包用シート１は、一対の上側支持パネル３０の先端側から延出する一対の舌片６０（第１上側支持パネル３０ａから延出する第１舌片６０ａ及び第２上側支持パネル３０ｂから延出する第２舌片６０ｂ）をさらに備える。
【００３０】
＜天面パネル＞
天面パネル１０は、上述のように長方形状であり、外箱Ｐの底面パネルと同等の大きさとされる。
【００３１】
天面パネル１０は、開口された窓１３を有することが好ましい。このように天面パネル１０に開口された窓１３を設けることで、当該梱包用シート１を組み立ててなる梱包部材Ｓにより保護されている内容物Ｘの種類や収納状態を容易に確認することができる。
【００３２】
窓１３の形状は、特に限定されないが、例えば平筒部Ｓ１の強度への影響が比較的小さい円形状とできる。また、窓１３の大きさは、平筒部Ｓ１の強度が不足しない範囲で適宜決定される。
【００３３】
当該梱包用シート１では、図１に示すように、天面パネル１０が、第１山折り線部１４と、第２山折り線部１５とを有する。第１山折り線部１４は、天面パネル１０の一対の第１側縁１１と平行な一対の山折り線１４ａ及び一対の第２側縁１２と平行な一対の山折り線１４ｂからなり、長方形状である。第２山折り線部１５は、天面パネル１０の４つの角部、及び各角部に近接する第１山折り線部１４の角部を接続する４つの山折り線１５ａからなる。また、一対の底面パネル２０が、組立状態における平面視において第１山折り線部１４と同形状の第３山折り線部２２と、第２山折り線部１５と同形状の第４山折り線部２３とを有する。
【００３４】
当該梱包用シート１では、第１山折り線部１４乃至第４山折り線部２３を山折りすることで、図４に示すように、天面パネル１０と底面パネル２０とにより形成される平筒部Ｓ１の中央部分を容易に膨らませることができる。従って、内容物Ｘに厚みがある場合であっても保護することができる。なお、図４では内容物Ｘの図示は省略している。
【００３５】
底面パネル２０との境界を画定する第１側縁１１及び上側支持パネル３０との境界を画定する第２側縁１２は、折り曲げ容易線で形成されているとよい。折り曲げ容易線としては、シート材の片面を筋押しした罫線や、複数の切断線と複数の罫線とが交互に連続したリード罫線を採用することができる。なお、底面パネル２０は下面側に折り曲げられるため、第１側縁１１は下面側を筋押しされているとよく、上側支持パネル３０は上面側へ折り曲げられるため、第２側縁１２は、上面側に筋押しされているとよい。
【００３６】
＜底面パネル＞
一対の底面パネル２０（第１底面パネル２０ａ及び第２底面パネル２０ｂ）は、天面パネル１０の第１側縁１１と同幅で第１側縁１１から延出する。
【００３７】
上述のように第１底面パネル２０ａ及び第２底面パネル２０ｂは天面パネル１０の下面側に折り返され、先端部同士が接続される。具体的には、第１底面パネル２０ａの側縁２１と第２底面パネル２０ｂの側縁２１との長さの和は、天面パネル１０の第２側縁１２の長さより大きく取られており、図４に示すように、天面パネル１０の下面側に折り返すと、第１底面パネル２０ａ及び第２底面パネル２０ｂの先端部が重なり合うように構成されている。この重なり合った部分を例えば接着剤や封緘テープにより接続することで、平筒部Ｓ１が形成される。第１底面パネル２０ａの側縁２１と第２底面パネル２０ｂの側縁２１とは、異なってもよいが、組み立て易さの観点から同長とすることが好ましい。
【００３８】
下側支持パネル４０との境界を画定する側縁２１は、天面パネル１０の第１側縁１１及び第２側縁１２と同様に、折り曲げ容易線で形成されているとよい。なお、下側支持パネル４０は、底面パネル２０が天面パネル１０の下方に折り返された状態で下方に折り曲げられるので、側縁２１は上面側に筋押しされているとよい。
【００３９】
＜上側支持パネル＞
上側支持パネル３０（第１上側支持パネル３０ａ及び第２上側支持パネル３０ｂ）は、一対の側縁３１が基端側から先端側に亘って幅方向の内側に傾斜している。具体的には、図１に示すように、側縁３１は、天面パネル１０の第１側縁１１の端点を起点とし、第１側縁１１に対して４５度の角度で傾斜している。また、上側支持パネル３０の先端縁３２は、天面パネル１０の第２側縁１２と平行である。つまり、上側支持パネル３０の形状は、先端縁３２を上底とする等脚台形である。
【００４０】
＜下側支持パネル＞
下側支持パネル４０（第１下側支持パネル４０ａ及び第２下側支持パネル４０ｂ）は、下側支持パネル４０の上側支持パネル３０の側縁３１と対向する側縁（第１側縁４１）が基端側から先端側に亘って幅方向の内側に傾斜している。具体的には、図１に示すように、第１側縁４１は、底面パネル２０の側縁２１の天面パネル１０側の端点を起点とし、側縁２１に対して４５度の角度で傾斜している。下側支持パネル４０の他方の側縁（第２側縁４２）は、特に限定されないが、例えば底面パネル２０の側縁２１の他方の端点から側縁２１に対して垂直に延出している。また、下側支持パネル４０の先端縁４３は、底面パネル２０の側縁２１と平行である。つまり、下側支持パネル４０の形状は、先端縁４３を上底とする台形である。なお、図１に示すように、下側支持パネル４０の第２側縁４２側の先端部は角取りがされていてもよい。
【００４１】
同側縁側から延出する下側支持パネル４０の延出長さが等しいとよい。つまり、第１上側支持パネル３０ａを挟むように位置する２枚の第１下側支持パネル４０ａの延出長さが等しいとよく、第２上側支持パネル３０ｂを挟むように位置する２枚の第２下側支持パネル４０ｂの延出長さが等しいとよい。この２枚の第１下側支持パネル４０ａ及び２枚の第２下側支持パネル４０ｂは、それぞれ第１底面パネル２０ａ及び第２底面パネル２０ｂと共に天面パネル１０の下面側に折り返され、先端部同士が接続される。このため、同側縁側から延出する下側支持パネル４０の延出長さを等しくすることで、接続後の下側支持パネル４０に段差が生じることを抑止できる。後述するように、この下側支持パネル４０により天面パネル１０と底面パネル２０とにより形成される平筒部Ｓ１が下方から支持されるので、下側支持パネル４０の延出長さを等しくすることで、平筒部Ｓ１の水平を保ち易い。
【００４２】
＜舌片＞
舌片６０の形状は、特に限定されないが、例えば図１に示すように、先端側の角が丸められた長方形状とすることができる。
【００４３】
舌片６０の幅（延出方向に垂直な方向の長さ）は、特に限定されず、例えば上側支持パネル３０の先端縁３２の長さに対して３０％以上１００％以下とできる。
【００４４】
舌片６０（第１舌片６０ａ及び第２舌片６０ｂ）は、図２に示すように、当該梱包用シート１を組み立ててなる梱包部材Ｓを外箱Ｐに収容した際に、上側に位置する。従って、舌片６０を掴んで引き出すことで、外箱Ｐに収容された梱包部材Ｓを容易に取り出すことができる。
【００４５】
舌片６０は、上側支持パネル３０との境界を画定する折り曲げ容易線６１を有するとよい。舌片６０を折り曲げ容易線６１を有する構成とすることで、取り出し時に掴み易くすることができるとともに、舌片６０が折れ曲がった状態で封印された外箱Ｐの天面と接するように構成できるので、梱包部材Ｓの上下動をさらに確実に抑止できる。
【００４６】
折り曲げ容易線６１は、天面パネル１０の第１側縁１１及び第２側縁１２と同様に形成することができる。なお、舌片６０は梱包部材Ｓに組み立てられた状態で、天面パネル１０側に折れ曲がることが好ましいため、折り曲げ容易線６１は、舌片６０の上面側に筋押しされている構成とするとよい。
【００４７】
（上側支持パネル、下側支持パネル及び舌片の延出長さの関係について）
上側支持パネル３０、下側支持パネル４０及び舌片６０は、図３に示すように、梱包部材Ｓでは、延出方向が天面パネル１０に対し直交するように組み立てられる。
【００４８】
このとき、上側支持パネル３０の延出長さと下側支持パネル４０の延出長さとの和（支持パネルの高さ）は、外箱Ｐの高さ以下とされる。上記支持パネルの高さが外箱Ｐの高さを超えると、上側支持パネル３０及び下側支持パネル４０と、外箱Ｐの上蓋フラップＰ１とが干渉して、外箱Ｐを封緘できないおそれがある。一方、上記支持パネルの高さの下限は、外箱Ｐの高さの９０％が好ましく、９５％がより好ましい。上記支持パネルの高さが上記下限未満であると、梱包部材Ｓを外箱Ｐ内に十分に固定できないおそれがある。
【００４９】
また、上側支持パネル３０の延出長さと下側支持パネル４０の延出長さと舌片６０の延出長さとの和（梱包部材Ｓの最大高さ）は、外箱Ｐの高さ以上とすることが好ましい。梱包部材Ｓの最大高さが外箱Ｐの高さ未満であると、梱包部材Ｓを外箱Ｐ内に十分に固定できないおそれがある。なお、梱包部材Ｓが外箱Ｐから上方に突出する部分は、舌片６０により構成される。梱包部材Ｓを外箱Ｐに収容し、封緘する場合は、舌片６０は天面パネル１０側に折り曲げることで、外箱Ｐの上蓋フラップＰ１と干渉することを抑止できる。また、このように折り曲げられた舌片６０にあっては、その反発力により外箱Ｐの上蓋フラップＰ１に当接し、梱包部材Ｓの外箱Ｐ内での移動をさらに抑止することができる。
【００５０】
＜接続片＞
接続片５０（第１接続片５０ａ及び第２接続片５０ｂ）は、上側支持パネル３０及び下側支持パネル４０の対向する側縁同士を接続する。具体的には、図１に示すように、第１接続片５０ａは、第１下側支持パネル４０ａの第１側縁４１と、この第１下側支持パネル４０ａと対向する第１上側支持パネル３０ａの側縁３１と、第１上側支持パネル３０ａの側縁３１の先端側の端点及び第１下側支持パネル４０ａの第１側縁４１の先端側の端点をそれぞれ起点として外側に延出する一対の側縁と、上記一対の側縁の先端間を接続する先端縁とで画定されている。第１下側支持パネル４０ａは、第１上側支持パネル３０ａの両側に２枚設けられるので、第１接続片５０ａについてもそれぞれの第１下側支持パネル４０ａに対応して、第１上側支持パネル３０ａの両側に設けられる。第２接続片５０ｂについても同様である。
【００５１】
なお、図１に示す接続片５０では、上側支持パネル３０の側縁３１の端点及び下側支持パネル４０の第１側縁４１の端点から上記一対の側縁が延出する場合を示しているが、上記一対の側縁を上側支持パネル３０の側縁３１の中間位置及び下側支持パネル４０の第１側縁４１の中間位置から延出する構成を採用することも可能である。
【００５２】
接続片５０は、梱包部材Ｓに組み立てる際に、接続片５０の境界を画定する上側支持パネル３０の側縁３１及び下側支持パネル４０の第１側縁４１で折り曲げられ、図３に示すように、平筒部Ｓ１の端部開口を塞ぐ。従って、接続片５０の境界を画定する上側支持パネル３０の側縁３１及び下側支持パネル４０の第１側縁４１は、天面パネル１０の第１側縁１１及び第２側縁１２と同様に、折り曲げ容易線で形成されているとよい。なお、接続片５０の折り曲げ方向から、これらの折り曲げ容易線は、下面側に筋押しされているとよい。
【００５３】
接続片５０が平筒部Ｓ１の端部開口を塞ぐ長さ（図３のＬ１）の平筒部Ｓ１の端部開口の長さ（図３のＬ）に対する比（Ｌ１／Ｌ）の下限としては、０．３が好ましく、０．３５がより好ましい。一方、上記Ｌ１／Ｌの上限としては、０．５が好ましく、０．４５がより好ましい。上記Ｌ１／Ｌが上記下限未満であると、天面パネル１０と底面パネル２０とが離間し易くなり、また端部開口のうち接続片５０で塞がれていない部分が長くなるため、内容物Ｘが梱包部材Ｓに固定され難くなるおそれや、端部開口から滑り出るおそれがある。逆に、上記Ｌ１／Ｌが上記上限を超えると、一対の接続片５０が重なり合う等の干渉が生じるおそれがある。
【００５４】
なお、接続片５０は、後述するように、一対の底面パネル２０を天面パネル１０の下面側に折り返す際に、一時的に天面パネル１０の第１側縁１１の延長線上で折り返される。このため、接続片５０は、天面パネル１０の第１側縁１１の延長線上に、天面パネル１０の第１側縁１１と同様の折り曲げ容易線を有してもよい。
【００５５】
＜当該梱包用シートの使用方法＞
当該梱包用シート１は、梱包部材Ｓに組み立てて使用する。以下に、その手順を説明する。
【００５６】
（折り返し工程）
最初に、当該梱包用シート１の一対の底面パネル２０を天面パネル１０の下面側に折り返す。
【００５７】
このとき、底面パネル２０より延出している一対の下側支持パネル４０についても天面パネル１０の下面側に配置される。また、折り返し工程では、図５に示すように、接続片５０についても一時的に天面パネル１０の第１側縁１１の延長線上で折り返される。
【００５８】
折り返した一対の底面パネル２０は、先端部同士を接続する。また、下側支持パネル４０についても同様に先端部同士を接続する。なお、下側支持パネル４０については、一対の第１下側支持パネル４０ａ同士を接続し、一対の第２下側支持パネル４０ｂ同士を接続する。この接続には、接着剤や封緘テープを用いることができる。
【００５９】
この折り返し工程により、天面パネル１０と底面パネル２０とで平筒部Ｓ１が形成される。
【００６０】
（挿入工程）
次に、図５に示すように、平筒部Ｓ１に内容物Ｘを挿入する。
【００６１】
内容物Ｘは平筒部Ｓ１の一方の端部開口から挿入することができる。内容物Ｘに厚みがある場合は、第１山折り線部１４乃至第４山折り線部２３の山折り線を内容物Ｘの厚みに即して折り曲げて、平筒部Ｓ１の内部空間の高さを調整する。
【００６２】
この挿入工程は、後述する閉塞工程で、一方の端部開口を閉塞した後に行うことも可能である。
【００６３】
（閉塞工程）
この工程では、上側支持パネル３０及び下側支持パネル４０を天面パネル１０に対して垂直に起立させつつ、接続片５０により平筒部Ｓ１の両側の端部開口を閉塞する。
【００６４】
天面パネル１０から延出する上側支持パネル３０は、上方に折り曲げる。一方、底面パネル２０から延出する下側支持パネル４０は、下方に折り曲げる。また、接続片５０は、図３に示すように、平筒部Ｓ１の端部開口の少なくとも一部を塞ぐように、折り曲げられた上側支持パネル３０及び下側支持パネル４０に折り重ねる。
【００６５】
上述の折り曲げ及び折り重ねを平筒部Ｓ１の両側の端部開口それぞれに対して行うことで、平筒部Ｓ１の端部開口が接続片５０により閉塞されるとともに、上側支持パネル３０及び下側支持パネル４０が上下方向にそれぞれ立設される。このようにして梱包部材Ｓが組み立てられる。
【００６６】
（収納工程）
最後に、組み立てられ、内容物Ｘを内包する梱包部材Ｓを外箱Ｐに収容する。
【００６７】
梱包部材Ｓは、上側支持パネル３０側が上蓋フラップＰ１側となるように外箱Ｐに収容し、上蓋フラップＰ１を封緘する。
【００６８】
＜利点＞
当該梱包用シート１は、天面パネル１０と底面パネル２０とで内容物Ｘを挟み込んで保持する。また、当該梱包用シート１では、天面パネル１０と底面パネル２０とにより形成される平筒部Ｓ１の開口の一部を塞ぐように接続片５０が折り重ねられる。この接続片５０の折り重ねにより天面パネル１０と底面パネル２０とが離間し難くなるため、当該梱包用シート１は、内容物Ｘの幅に対して天面パネル１０及び底面パネル２０の幅が広くとも、内容物Ｘを挟持することができる。このため、当該梱包用シート１では内容物Ｘの幅によらず天面パネル１０及び底面パネル２０の幅を決定できるので、当該梱包用シート１を組み立ててなる梱包部材Ｓを入れる外箱Ｐの大きさが内容物Ｘの幅に規制されない。また、当該梱包用シート１では、上側支持パネル３０及び下側支持パネル４０は、専ら梱包部材Ｓの上下動の抑止に用いられ、上側支持パネル３０及び下側支持パネル４０の延出長さの和を、高い精度で外箱Ｐの側面パネルの上下方向長さと合わせることを要しない。このため、当該梱包用シート１を組み立ててなる梱包部材Ｓは、天面側で開封する箱にも用いることができるので、外箱Ｐの構造が制限されない。従って、当該梱包用シート１は、内容物Ｘがディスク状であっても内容物Ｘの損傷を抑止でき、かつ梱包する外箱Ｐの大きさや構造が制約され難い梱包部材Ｓに組み立て可能である。
【００６９】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００７０】
上記実施形態では、当該梱包用シートが一対の舌片を備える場合を説明したが、舌片は片側のみとしてもよい。また、舌片を備えない梱包用シートも本発明の意図するところである。
【００７１】
上記実施形態では、天面パネルが第１山折り線部と第２山折り線部とを有し、底面パネルが第３山折り線部と第４山折り線部とを有する場合を説明したが、天面パネル又は底面パネルのいずれか一方のみが山折り線部を有する構成や、天面パネル及び底面パネルの両方が山折り線部を有さない構成も本発明の意図するところである。
【産業上の利用可能性】
【００７２】
以上のように、梱包用シートは、ディスク状の内容物であっても内容物の損傷を抑止でき、かつ梱包する外箱の大きさや構造が制約され難い梱包部材に組み立て可能である。
【符号の説明】
【００７３】
１  梱包用シート
１０  天面パネル
１１  第１側縁
１２  第２側縁
１３  窓
１４  第１山折り線部
１４ａ、１４ｂ  山折り線
１５  第２山折り線部
１５ａ  山折り線
２０  底面パネル
２０ａ  第１底面パネル
２０ｂ  第２底面パネル
２１  側縁
２２  第３山折り線部
２３  第４山折り線部
３０  上側支持パネル
３０ａ  第１上側支持パネル
３０ｂ  第２上側支持パネル
３１  側縁
３２  先端縁
４０  下側支持パネル
４０ａ  第１下側支持パネル
４０ｂ  第２下側支持パネル
４１  第１側縁
４２  第２側縁
４３  先端縁
５０  接続片
５０ａ  第１接続片
５０ｂ  第２接続片
６０  舌片
６０ａ  第１舌片
６０ｂ  第２舌片
６１  折り曲げ容易線
Ｓ  梱包部材
Ｓ１  平筒部
Ｐ  外箱
Ｐ１  上蓋フラップ
Ｘ  内容物
【要約】
【課題】本発明は、内容物の損傷を抑止でき、かつ梱包する外箱の大きさや構造が制約され難い梱包部材に組み立て可能な梱包用シートの提供を課題とする。
【解決手段】本発明の梱包用シートは、１枚のシート材から形成され梱包部材に組み立て可能な梱包用シートであって、長方形状の天面パネルと、天面パネルの下面側に折り返され、天面パネルと共に平筒部を形成する底面パネルと、天面パネルの上方に折り曲げられる上側支持パネルと、底面パネルの下方に折り曲げられる下側支持パネルとを備えており、上側支持パネルの側縁が基端側から先端側に亘って幅方向の内側に傾斜し、下側支持パネルの上側支持パネルの側縁と対向する側縁が基端側から先端側に亘って幅方向の内側に傾斜しており、上側支持パネル及び下側支持パネルの対向する側縁同士を接続し、平筒部の端部開口の少なくとも一部を塞ぐよう折り重ねられる接続片をさらに備える。
【選択図】図１【図１】
0006770163.tif 000002
【図２】
0006770163.tif 000003
【図３】
0006770163.tif 000004
【図４】
0006770163.tif 000005
【図５】
0006770163.tif 000006